(57)【要約】【課題】使用者が操作することで容易にクリック数を変更することができる簡易な構成の操作装置を提供する。【解決手段】使用者が下段ダイヤル３を回転操作することによる位置変化部２４のコ字状部２１に対する摺動に伴って、位置変化部２４の上下方向位置が異なる部分がコ字状部２１に接触する。このとき、円筒部材１８内部の弾性部がコ字状部２１を位置変化部２４に向けて付勢して、コ字状部２１の上下方向の位置が変化する。コ字状部２１の上下方向の位置変化によって、コ字状部２１の上端側に突設してある半球状の被係合部が円板１１の第１クリック面１４（３６個の溝状の係合部が形成してある円板１１上面）に接触し、同時的に、コ字状部２１の下端側に突設してある半球状の被係合部が第２クリック面１６（１８個の溝状の係合部が形成してある円板１１下面）から離隔する。そして、係合部と被係合部との係脱により、クリックが生じる。【選択図】図１
2008262835.tif 000002
【特許請求の範囲】
【請求項１】
回転式又はスライド式の操作摘みが操作された場合にクリックを発生させる操作装置において、
クリックを発生させるべく、異なる個数の係合部が夫々形成してある複数のクリック面と、
各クリック面に対向配置され、対向するクリック面に形成されている係合部に係脱自在に設けてある被係合部と
を備え、
各被係合部は該被係合部に対向するクリック面に対して接離するようにしてあり、
一の被係合部の該被係合部に対向するクリック面に対する接離と他の被係合部の該被係合部に対向するクリック面に対する接離とを同時的に切替自在にしてあり、
一の被係合部が該被係合部に対向するクリック面に接触している場合、前記一の被係合部を除く被係合部が該被係合部に対向するクリック面から離隔するようにしてあることを特徴とする操作装置。
【請求項２】
Ｍ個（Ｍは自然数）の凹状又は凸状の第１係合部が形成してある第１クリック面と、
Ｎ個（Ｎは自然数、Ｎ≠Ｍ）の凹状又は凸状の第２係合部が形成してある第２クリック面と、
前記第１クリック面及び第２クリック面に各対向配置され、前記第１係合部及び第２係合部に各係脱自在に設けてある第１被係合部及び第２被係合部と、
前記第１被係合部の前記第１クリック面に対する接触及び対向方向の離隔、並びに前記第２被係合部の前記第２クリック面に対する対向方向の離隔及び接触を同時的に切替自在にするための切替操作手段と
を備え、
前記操作摘みの操作に応じて、前記第１係合部と前記第１被係合部と、及び、前記第２係合部と前記第２被係合部とが、前記操作摘みの操作方向に夫々相対移動するようにしてあることを特徴とする請求項１に記載の操作装置。
【請求項３】
前記操作摘みは回転式であり、
一端側に前記第１被係合部が設けてあり、他端側に前記第２被係合部が設けてあるコ字状部を更に備え、
前記第１係合部及び第２係合部は、前記操作摘みの回転操作に応じて回転する回転軸に一体的且つ同軸に設けてある円板の一面及び他面に夫々形成してあり、
前記切替操作手段は、
前記操作摘みと同軸に配されている回転式の第２の操作摘みと、
前記回転軸の周方向に設けられ、前記回転軸の軸長方向の位置が変化する階段状又は傾斜面状であって、前記軸長方向に前記コ字状部に接触した状態で、前記第２の操作摘みの回転操作に応じて前記コ字状部に対して前記周方向に摺動する位置変化部と、
前記コ字状部に連結されており、弾性復元力によって、前記位置変化部に向けて前記軸長方向に前記コ字状部を付勢する弾性部と
を有することを特徴とする請求項２に記載の操作装置。
【請求項４】
前記位置変化部は階段状であって、
前記位置変化部の段と段との境、又は前記コ字状部の前記位置変化部に接触する部分が斜面状又は曲面状に形成されていることを特徴とする請求項３に記載の操作装置。
【請求項５】
前記操作摘みは回転式であり、
前記第１係合部及び第２係合部は、前記操作摘みの回転操作に応じて回転する円筒の内周面の一端側及び他端側に夫々形成してあり、
前記第１被係合部及び第２被係合部は、前記円筒の径方向の中心位置を介在して該径方向の一側及び他側に夫々配されており、
前記切替操作手段は、
往復移動自在に設けてある往復操作摘みと、
前記第１被係合部及び第２被係合部夫々が連結されており、前記往復操作摘みの往復移動に伴って前記径方向に往復移動する移動連結部と
を有することを特徴とする請求項２に記載の操作装置。
【発明の詳細な説明】
【技術分野】
【０００１】
本発明は、回転式又はスライド式の操作摘みが回転操作された場合にクリックを発生させる操作装置に関する。
【背景技術】
【０００２】
例えば車載用の空気調和機は、この空気調和機の操作装置に設けられている回転式の操作摘みが操作された操作量に応じて、送風量の多寡、送風温度の高低等の制御量を多段階に切り替えるようにしてある。
このような操作装置は、操作摘みが回転操作された場合にクリックを発生させることによって、使用者に聴覚的又は触覚的なクリック感を覚えさせる。この結果、操作装置は、使用者が操作摘みの操作量を判断することを容易にし、また、操作摘みの所望される位置での停止を容易にしている（特許文献１参照）。
ここで、本明細書におけるクリックとは、語義通りのカチッという音、又はこのような音を発生させるような機械的衝撃、振動等である。
【０００３】
しかしながら、制御量をＰ段階（ただしＰは自然数）に切り替えるための操作摘みとＱ段階（ただしＱは自然数、Ｑ≠Ｐ）に切り替えるための操作摘みとを兼用する場合、操作摘みの操作量と、発生するクリックの個数（以下、クリック数という）との関係が一定では、使用者が操作摘みの操作量と切替段階との関係を判断し難く、使用が不便である。
このような問題を解決するために、操作摘みの回転操作に対してモータで負荷を与えることによってクリックを発生させる操作装置、操作摘みの回転操作に応じて、クリックの代わりとなる電子音を発生させる操作装置等が考えられる。これらの操作装置では、切り替え可能な段階に応じたクリック数を発生させることが可能である。
【０００４】
ところで、特許文献１に開示されている操作装置は、Ｐ本のクリック溝が形成されている部分とＱ本のクリック溝が形成されている部分とを同心円状に形成したクリック板、このクリック溝に対して係脱する１個の被係合部、及び、この被係合部のクリック板に対する投影位置とクリック板の中心位置の距離とを変化させるスライダを備える。
【０００５】
このような操作装置では、スライダをスライドさせることによって、Ｐ本のクリック溝が形成されている部分及びＱ本のクリック溝が形成されている部分の何れか一方に対向する位置に被係合部が配置されるため、操作摘みの回転操作に応じて、操作摘みの操作量と切替段階との関係に対応した個数のクリックが生ずる。
【特許文献１】特開昭５０−２１５５号公報
【発明の開示】
【発明が解決しようとする課題】
【０００６】
しかしながら、特許文献１に開示されている操作装置は、操作装置の組立段階でスライダをスライドさせた後、スライダを固定する構成である。このため、組立作業者が、操作摘みの用途に応じてクリック数を変更することは容易であるが、操作装置の組立後は、使用者がスライダを操作することによってクリック数を変更することができないか、又は困難である。
一方、操作摘みの回転操作に対してモータで負荷を与える操作装置、操作摘みの回転操作に応じて電子音を発生させる操作装置等は、クリックを発生させるためにモータ又は電子音発生部の複雑な制御を行なう必要があり、高コストである。
【０００７】
本発明は斯かる事情に鑑みてなされたものであり、その主たる目的は、一のクリック面
に対する一の被係合部の接離と他のクリック面に対する他の被係合部の接離とを同時的に切替自在にし、且つ、一の被係合部が一のクリック面に接触している場合は他の被係合部が他のクリック面から離隔する構成とすることにより、容易にクリック数を変更することができる簡易な構成の操作装置を提供することにある。
【０００８】
本発明の他の目的は、第１クリック面に対する第１被係合部の接触及び離隔と第２クリック面に対する第２被係合部の離隔及び接触とを同時的に切替自在にするための切替操作手段を備えることにより、使用者が操作することで容易にクリック数を変更することができる簡易な構成の操作装置を提供することにある。
【０００９】
本発明の他の目的は、円板の一面側に形成してある第１クリック面に対する第１被係合部の接触及び離隔と、この円板の他面側に形成してある第２クリック面に対する第２被係合部の離隔及び接触とを、コ字状部、階段状又は傾斜面状の位置変化部等を用いて、同時的に切替自在にする構成とすることにより、簡易な機械的構成で容易にクリック数を変更することができる操作装置を提供することにある。
【００１０】
本発明の他の目的は、階段状の位置変化部の段と段との境、又はコ字状部の位置変化部に接触する部分が斜面状又は曲面状に形成されていることにより、階段状の位置変化部を用いつつ、クリック数の変更を滑らかに行なうことができる操作装置を提供することにある。
【００１１】
本発明の更に他の目的は、円筒の内周面の一端側に形成してある第１クリック面に対する第１被係合部の接触及び離隔と、この円筒の内周面の他端側に形成してある第２被係合部の第２クリック面に対する離隔及び接触とを同時的に切替自在にする構成とすることにより、簡易な機械的構成で容易にクリック数を変更することができる操作装置を提供することにある。
【課題を解決するための手段】
【００１２】
第１発明に係る操作装置は、回転式又はスライド式の操作摘みが操作された場合にクリックを発生させる操作装置において、クリックを発生させるべく、異なる個数の係合部が夫々形成してある複数のクリック面と、各クリック面に対向配置され、対向するクリック面に形成されている係合部に係脱自在に設けてある被係合部とを備え、各被係合部は該被係合部に対向するクリック面に対して接離するようにしてあり、一の被係合部の該被係合部に対向するクリック面に対する接離と他の被係合部の該被係合部に対向するクリック面に対する接離とを同時的に切替自在にしてあり、一の被係合部が該被係合部に対向するクリック面に接触している場合、前記一の被係合部を除く被係合部が該被係合部に対向するクリック面から離隔するようにしてあることを特徴とする。
【００１３】
第２発明に係る操作装置は、Ｍ個（Ｍは自然数）の凹状又は凸状の第１係合部が形成してある第１クリック面と、Ｎ個（Ｎは自然数、Ｎ≠Ｍ）の凹状又は凸状の第２係合部が形成してある第２クリック面と、前記第１クリック面及び第２クリック面に各対向配置され、前記第１係合部及び第２係合部に各係脱自在に設けてある第１被係合部及び第２被係合部と、前記第１被係合部の前記第１クリック面に対する接触及び対向方向の離隔、並びに前記第２被係合部の前記第２クリック面に対する対向方向の離隔及び接触を同時的に切替自在にするための切替操作手段とを備え、前記操作摘みの操作に応じて、前記第１係合部と前記第１被係合部と、及び、前記第２係合部と前記第２被係合部とが、前記操作摘みの操作方向に夫々相対移動するようにしてあることを特徴とする。
【００１４】
第３発明に係る操作装置は、前記操作摘みは回転式であり、一端側に前記第１被係合部が設けてあり、他端側に前記第２被係合部が設けてあるコ字状部を更に備え、前記第１係
合部及び第２係合部は、前記操作摘みの回転操作に応じて回転する回転軸に一体的且つ同軸に設けてある円板の一面及び他面に夫々形成してあり、前記切替操作手段は、前記操作摘みと同軸に配されている回転式の第２の操作摘みと、前記回転軸の周方向に設けられ、前記回転軸の軸長方向の位置が変化する階段状又は傾斜面状であって、前記軸長方向に前記コ字状部に接触した状態で、前記第２の操作摘みの回転操作に応じて前記コ字状部に対して前記周方向に摺動する位置変化部と、前記コ字状部に連結されており、弾性復元力によって、前記位置変化部に向けて前記軸長方向に前記コ字状部を付勢する弾性部とを有することを特徴とする。
【００１５】
第４発明に係る操作装置は、前記位置変化部は階段状であって、前記位置変化部の段と段との境、又は前記コ字状部の前記位置変化部に接触する部分が斜面状又は曲面状に形成されていることを特徴とする。
【００１６】
第５発明に係る操作装置は、前記操作摘みは回転式であり、前記第１係合部及び第２係合部は、前記操作摘みの回転操作に応じて回転する円筒の内周面の一端側及び他端側に夫々形成してあり、前記第１被係合部及び第２被係合部は、前記円筒の径方向の中心位置を介在して該径方向の一側及び他側に夫々配されており、前記切替操作手段は、往復移動自在に設けてある往復操作摘みと、前記第１被係合部及び第２被係合部夫々が連結されており、前記往復操作摘みの往復移動に伴って前記径方向に往復移動する移動連結部とを有することを特徴とする。
【００１７】
第１発明にあっては、クリック面の個数に対応する個数の被係合部を備える。
各クリック面には、他のクリック面とは異なる個数の係合部（例えばクリック溝）が形成されており、このクリック面に対向配置されている被係合部は、このクリック面に形成されている係合部に対して係脱自在に設けられている。このため、使用者が回転式又はスライド式の操作摘みを操作することによって、このクリック面に形成されている係合部の個数に応じたクリックが発生する。
【００１８】
一のクリック面に対する被係合部の接離と、他のクリック面に対する被係合部の接離とは同時的に切替自在であり、しかも、一のクリック面に被係合部が接触して、係合部と被係合部とが係脱している場合、このクリック面以外のクリック面から被係合部が離隔して、係合部と被係合部とが係脱しない。このため、容易にクリック数が変更される。
ここで、クリック面に対する被係合部の接離は自動で行なう構成でも手動で行なう構成でもよいが、クリックの発生は係合部と被係合部との係脱によるため、クリックを発生させるために複雑な制御を行なわなくてよい。つまり、操作装置の構成が簡易である。
【００１９】
第２発明にあっては、Ｍ個の凹状又は凸状の第１係合部が形成してある第１クリック面と、この第１クリック面に対向配置され、第１係合部に係脱自在に設けてある第１被係合部とを備える。
同様に、第２係合部が形成してある第２クリック面と第２被係合部とを備え、第２係合部の形成個数は、Ｍ個とは異なるＮ個である。
第１被係合部は第１クリック面に対して接離するようにしてあり、第２被係合部は第２クリック面に対して接離するようにしてあり、そして、切替操作手段によって、第１被係合部の第１クリック面に対する接触及び対向方向の離隔と第２被係合部の第２クリック面に対する対向方向の離隔及び接触とが同時的に切替自在となる。
【００２０】
使用者が切替操作手段を操作することによって、第１被係合部が第１クリック面に接触し、第２被係合部が第２クリック面から離隔した場合、回転式又はスライド式の操作摘みの操作に応じて第１係合部と第１被係合部とが操作摘みの操作方向に相対移動するため、操作摘みが操作された場合に、第１係合部の形成個数（即ちＭ個）に応じたクリックが発
生する。
同様に、使用者が切替操作手段を操作することによって、第２被係合部が第２クリック面に接触し、第１被係合部が第１クリック面から離隔した場合、回転式又はスライド式の操作摘みの操作に応じて第２係合部と第２被係合部とが操作摘みの操作方向に相対移動するため、操作摘みが操作された場合に、第２係合部の形成個数（即ちＮ個）に応じたクリックが発生する。
【００２１】
第３発明にあっては、回転式の操作摘みの回転操作に応じて回転する回転軸に一体的且つ同軸に設けてある円板の一面に第１係合部が形成されており、この円板の他面に、第２係合部が形成されている。つまり、この円板の一面が第１クリック面であり、他面が第２クリック面である。
また、コ字状部の一端側に第１被係合部が設けてあり、このコ字状部の他端側に第２被係合部が設けてある。各被係合部は各クリック面に対向配置されているため、コ字状部は、コ字の内部に円板を配し、第１被係合部が設けてある一端側を第１クリック面（即ち第１係合部が形成してある円板の一面）に対向させ、第２被係合部が設けてある他端側を第２クリック面（即ち第２係合部が形成してある円板の他面）に対向させている。
【００２２】
切替操作手段は、回転式の第２の操作摘みと位置変化部と弾性部とを有する。
第２の操作摘みは、クリックを発生させるための操作摘みと同軸に配されており、クリック数を変更するために、使用者によって操作される。
位置変化部は、操作摘みの回転操作に応じて回転する回転軸の周方向（以下、単に周方向という）に設けられており、この回転軸の軸長方向（以下、単に軸長方向という）の位置が変化する階段状又は傾斜面状である。
位置変化部は、軸長方向にコ字状部に接触した状態で、第２の操作摘みの回転操作に応じてコ字状部に対して周方向に摺動する。
そして、弾性部はコ字状部に連結されており、このコ字状部を、位置変化部に向けて軸長方向に、弾性復元力によって付勢する。
【００２３】
使用者が第２の操作摘みを回転操作することによって、位置変化部がコ字状部に対して摺動し、このため、位置変化部のコ字状部に接触する部分が周方向に変化する。つまり、コ字状部に対する摺動に伴って、位置変化部の軸長方向の位置が異なる部分がコ字状部に接触する。このとき、弾性部がコ字状部を位置変化部に向けて付勢しているため、コ字状部の軸長方向の位置が変化する。
コ字状部の軸長方向の位置変化によって、コ字状部の一側の第１被係合部が円板の一面側の第１クリック面に接触し、同時的に、コ字状部の他側の第２被係合部が円板の他面側の第２クリック面から離隔する。また、逆に、コ字状部の他側の第２被係合部が円板の他面側の第２クリック面に接触し、同時的に、コ字状部の一側の第１被係合部が円板の他面側の第１クリック面から離隔する。
【００２４】
位置変化部が傾斜面状の場合、位置変化部とコ字状部との摺動は滑らかである。
一方、位置変化部が階段状の場合、第２の操作摘みの所要位置での停止が容易になり、また、第２の操作摘みが回転操作された場合にクリックを発生させて、使用者が第２の操作摘みの操作量を判断することが容易になる。
【００２５】
第４発明にあっては、階段状の位置変化部の段と段との境が斜面状又は曲面状に形成されている。又は、コ字状部の位置変化部に接触する部分が斜面状又は曲面状に形成されている。
このため、コ字状部が位置変化部の一の段から他の段に移動する場合に、位置変化部とコ字状部との摺動が滑らかである。
【００２６】
第５発明にあっては、回転式の操作摘みの回転操作に応じて回転する円筒の内周面の一端側に第１係合部が形成されており、この円筒の内周面の他端側に第２係合部が形成されている。つまり、この円板の内面の一端側に第１クリック面が形成されており、他端側に第２クリック面が形成されている。
また、第１被係合部及び第２被係合部は、この円筒の径方向中心位置を介在して、この円筒の径方向の一側及び他側に配されている。以下では、この一側−他側方向を円筒径方向という。
各被係合部は各クリック面に対向配置されているため、第１被係合部は、第１係合部が形成されている円筒の内周面の一端側に対向し、第２被係合部は、第２係合部が形成されている円筒の内周面の他端側に対向している。
【００２７】
切替操作手段は、往復操作摘みと移動連結部とを有する。
往復操作摘みは、往復移動自在に設けられており、使用者によって、クリック数を変更するために操作される。
移動連結部には、第１被係合部及び第２被係合部夫々が連結されており、往復操作摘みの往復移動に伴って円筒径方向に往復移動する。
【００２８】
使用者が往復操作摘みを一方向に操作することによって移動連結部が円筒径方向の一方向に移動するため、第１被係合部が円筒の一側の第１クリック面に接触し、同時的に、第２被係合部が円筒の他側の第２クリック面から離隔する。また、逆に、使用者が往復操作摘みを他方向に操作することによって移動連結部が円筒径方向の他方向に移動するため、第２被係合部が円筒の他側の第２クリック面に接触し、同時的に、第１被係合部が円筒の一側の第１クリック面から離隔する。
【発明の効果】
【００２９】
第１発明の操作装置による場合、係合部と被係合部との係脱によってクリックを発生させることができ、また、一の被係合部と一のクリック面の係合部とが係脱しているときは他の被係合部と他のクリック面の係合部とが係脱しないように、一のクリック面に対する一の被係合部の接離と他のクリック面に対する他の被係合部の接離とを手動又は自動で同時的に切り替えることができる。
従って、モータ及びモータの制御部等、又は電子音発生部及び電子音発生部の制御部等を用いてクリックを発生させる装置を備える必要がないため、簡易な構成で、容易にクリック数を変更することができる。
【００３０】
第２発明の操作装置による場合、第１被係合部の第１クリック面に対する接触及び対向方向の離隔と第２被係合部の第２クリック面に対する対向方向の離隔及び接触とを手動で同時的に切り替えることができる。
従って、モータ及びモータの制御部等を用いて各クリック面に対する被係合部の接離を自動で行なうための装置を備える必要がないため、更に簡易な構成で、容易にクリック数を変更することができる。
【００３１】
第３発明の操作装置による場合、使用者が第２の操作摘みを操作することによって、簡易な機械的構成で、円板の一面である第１クリック面に対する第１被係合部の接触及び離隔と、この円板の他面である第２クリック面に対する第２被係合部の離隔及び接触とを、同時的に切り替えることができる。つまり、容易にクリック数を変更することができる。
また、クリック数を変更するための第２の操作摘みは、クリックを発生させるための操作摘みと同軸に配されているため、使用者は、操作摘みに対応する第２の操作摘みを容易に判断することができる。
【００３２】
第４発明の操作装置による場合、階段状の位置変化部とコ字状部との摺動を滑らかにす
ることができる。このため、第２の操作摘みの所要位置での停止が容易になり、また、第２の操作摘みが回転操作された場合にクリックを発生させて、使用者が第２の操作摘みの操作量を判断することが容易になる階段状の位置変化部を備えることができる。
【００３３】
第５発明の操作装置による場合、使用者が往復操作摘みを操作することによって、簡易な機械的構成で、円筒の一端側に形成してある第１クリック面に対する第１被係合部の接触及び離隔と、この円筒の他端側に形成してある第２クリック面に対する第２被係合部の離隔及び接触とを、同時的に切り替えることができる。つまり、容易にクリック数を変更することができる。
【発明を実施するための最良の形態】
【００３４】
以下、本発明を、その実施の形態を示す図面に基づいて詳述する。
【００３５】
実施の形態  １．
図１及び図２は、本発明の実施の形態１に係る操作装置を示す縦断面図及び横断面図である。また、図１は図２におけるＩ−Ｉ線の断面図でもあり、図２は図１におけるII−II線の断面図でもある。
更に、図３は、この操作装置が備える第２の操作摘みとしての下段ダイヤルを示す平面図である。
更にまた、図４は、この操作装置が備える円板を示す平面図であり、図５は、この操作装置が備えるコ字状部を示す側面図であり、図６は、この操作装置が備える位置変化部を示す正面図である。
【００３６】
本実施の形態の操作装置１は、車両が備える空気調和機（各不図示）を使用者が操作するための操作装置であり、図１〜図３に示すように、回転式の操作摘みである上段ダイヤル２と、回転式の第２の操作摘みである下段ダイヤル３とを備える２段式のダイヤルスイッチであって、上段ダイヤル２及び下段ダイヤル３は、操作パネル４の外面側に配されている。以下では、上段ダイヤル２側から操作パネル４側へ接近する方向（図１、図５及び図６夫々の下方向）を下方向といい、逆方向を上方向という。
【００３７】
上段ダイヤル２は３６０°右方向及び左方向夫々に回転自在であり、下段ダイヤル３は、１８０°未満の所定の回転角の範囲内で右方向及び左方向夫々に回転自在である。また、下段ダイヤル３の外径は上段ダイヤル２の外径よりも大きく、中央部に、後述する回転軸１０が貫通する貫通孔３ａが形成されている。
操作パネル４には、上段ダイヤル２及び下段ダイヤル３に覆われて貫通孔４ａが形成されており、また、操作パネル４の内面側（即ち下面側）には、第１スイッチ素子５、第２スイッチ素子６、第３スイッチ素子７、ロータリーエンコーダ８、及び空気調和機の図示しないＣＰＵを実装しているプリント基板９が、操作パネル４に略平行に配されている。
【００３８】
上段ダイヤル２の下側中央部には、上段ダイヤル２と同軸に設けられている円筒状の回転軸１０が、プリント基板９に略垂直に配されている。回転軸１０は、上端部が上段ダイヤル２に一体的に連結されており、下段ダイヤル３の貫通孔３ａ及び操作パネル４の貫通孔４ａを貫通して、下端部がプリント基板９に、自身の中心軸を中心として回動自在に支持されている。このため、上段ダイヤル２も回転可能とされている。
更に回転軸１０の中途には、中央部に孔が形成されている円板１１が、回転軸１０に同軸に外嵌固定されている。ここで、円板１１は、操作パネル４とプリント基板９との間に配されている。
【００３９】
上段ダイヤル２が回転操作されることによって、上段ダイヤル２の操作量に応じて回転軸１０及び円板１１が回転し、この円板１１の回転量を、円板１１の周面に接触配置され
ているロータリーエンコーダ８が検出して、検出結果をＣＰＵに与える。
【００４０】
下段ダイヤル３は、上段ダイヤル２と同軸に設けられ、且つ、上段ダイヤル２とは別個に回転するよう設けられている。下段ダイヤル３の中央部には貫通孔３ａが形成されており、下段ダイヤル３の下部には、円板１１の外径よりも大きい内径を有する平面視Ｃ字状の柱状部材１２がプリント基板９に略垂直に配されている。柱状部材１２は下段ダイヤル３と同軸に設けられており、上端部が下段ダイヤル３に一体的に連結されており、操作パネル４の貫通孔４ａを貫通して、下端部がプリント基板９に、自身の中心軸を中心として１８０°未満の所定の回転角の範囲内で回動自在に支持されている。このため、下段ダイヤル３も回転可能とされている。この柱状部材１２の内側に、回転軸１０及び円板１１が配されている。
【００４１】
柱状部材１２の下端面には可動接点１３が設けられており、下段ダイヤル３が回転操作されることによって、下段ダイヤル３の操作量に応じて柱状部材１２が回転し、プリント基板９上の第１スイッチ素子５、第２スイッチ素子６、及び第３スイッチ素子７の内、可動接点１３が接触した一つに対応するスイッチがオンになる。一方、可動接点１３が接触していない第１スイッチ素子５、第２スイッチ素子６、及び／又は第３スイッチ素子７に対応するスイッチはオフになる。このようなスイッチのオン／オフが、所定の信号の有無としてＣＰＵに与えられる。
【００４２】
図２では、可動接点１３と第１スイッチ素子５とが接触して、第１スイッチ素子５に対応するスイッチ（以下、第１スイッチという）がオンになっている状態を示している。この状態では、当然、第２スイッチ素子６に対応するスイッチ（以下、第２スイッチという）及び第３スイッチ素子７に対応するスイッチ（以下、第３スイッチという）は両方ともオフになっている。
【００４３】
第１スイッチがオンになった場合、ＣＰＵは、空気調和機を制御して、助手席側の送風温度（図３中「Ｐ−ＴＥＭＰ」）を変更する。この場合、上段ダイヤル２の回転操作に応じて回転するロータリーエンコーダ８は、３６段階の分解能を与えられ、助手席側の送風温度の高低を切り替えるスイッチとして機能する。
また、第２スイッチがオンになった場合、ＣＰＵは、空気調和機を制御して、運転席側の送風温度（図３中「ＴＥＭＰ」）を変更する。この場合、上段ダイヤル２の回転操作に応じて回転するロータリーエンコーダ８は、３６段階の分解能を与えられ、運転席側の送風温度の高低を切り替えるスイッチとして機能する。
【００４４】
更に、第３スイッチがオンになった場合、ＣＰＵは、空気調和機を制御して、送風量（図３中「風量」）を変更する。この場合、上段ダイヤル２の回転操作に応じて回転するロータリーエンコーダ８は、１８段階の分解能を与えられ、送風量の多寡を切り替えるスイッチとして機能する。
なお、ＣＰＵは、例えばカーナビの表示部に、操作装置１による現在の設定状態を示す情報（例えば「ＴＥＭＰ」「１８℃」等の文字）を表示させてもよい。
【００４５】
ところで、下段ダイヤル３に連結されている柱状部材１２の回転は所定の回転角の範囲内に制限されているため、柱状部材１２がロータリーエンコーダ８に当接することはない。
なお、下段ダイヤル３の回転操作に応じて可動接点１３と第１スイッチ素子５、第２スイッチ素子６、及び第３スイッチ素子７夫々とが接触した場合にクリックを発生させるように構成することが望ましい。
【００４６】
次に、上段ダイヤル２の回転操作に応じてクリックを発生させるための構成について説
明する。
図１、図２及び図４（ａ）に示すように、円板１１の上面は第１クリック面１４であり、Ｍ個（本実施の形態においては３６個）の凹状の第１係合部１５，１５，…が形成してある。この３６個の第１係合部１５，１５，…は、円板１１の上面に放射状に形成されている３６本のクリック溝である。同様に、図１及び図４（ｂ）に示すように、円板１１の下面は第２クリック面１６であり、Ｎ個（本実施の形態においては１８個）の凹状の第２係合部１７，１７，…が形成してある。この１８個の第２係合部１７，１７，…は、円板１１の一面に放射状に形成されている１８本のクリック溝である。
【００４７】
図１及び図５に示すように、プリント基板９上には円筒部材１８が固定されている。円筒部材１８はコイルバネを用いてなる弾性部１９を内蔵しており、円筒部材１８内部から突出する円柱状の突出部２０が弾性部１９の弾性復元力によって上方へ付勢される。突出部２０の下端部は円筒部材１８に内在し、上端部はコ字状部２１の下面に連結されている。
【００４８】
コ字状部２１は、側端面がコ字状の板状部であり、上側端部内面に第１被係合部２２が設けてあり、下側端部内面に第２被係合部２３が設けてある。ただし、第１被係合部２２及び第２被係合部２３は、図１（並びに後述する図７及び図１０）では図示を省略している。
第１被係合部２２はコ字状部２１の上側端部内面に突設されている半球状であり、第１クリック面１４、即ち円板１１の上面に対向配置され、第１係合部１５，１５，…に係脱自在に設けてある。同様に、第２被係合部２３はコ字状部２１の下側端部内面に突設されている半球状であり、第２クリック面１６、即ち円板１１の下面に対向配置され、第２係合部１７，１７，…に係脱自在に設けてある。
【００４９】
上段ダイヤル２の回転操作に応じて円板１１が回転するため、第１係合部１５，１５，…と第１被係合部２２とは、上段ダイヤル２の回転方向に相対回転移動する。同様に、第２係合部１７，１７，…と第２被係合部２３とが、上段ダイヤル２の回転方向に相対回転移動する。
【００５０】
以上の結果、第１被係合部２２と第１クリック面１４とが接触している場合に上段ダイヤル２が回転操作されることによって、第１係合部１５，１５，…と第１被係合部２２とが係脱し、上段ダイヤル２の１回転あたり３６回のクリックを発生させる。同様に、第２被係合部２３と第２クリック面１６とが接触している場合に上段ダイヤル２が回転操作されることによって、第２係合部１７，１７，…と第２被係合部２３とが係脱し、上段ダイヤル２の１回転あたり１８回のクリックを発生させる。
【００５１】
また、第１被係合部２２は第１クリック面１４に対して接離するようにしてあり、第２被係合部２３は第２クリック面１６に対して接離するようにしてある。更に詳細には、コ字状部２１が上下方向に動揺することによって、第１被係合部２２の第１クリック面１４に対する接触及び対向方向の離隔、並びに第２被係合部２３の第２クリック面１６に対する対向方向の離隔及び接触が同時的に切り替えられる。即ち、第１被係合部２２が第１クリック面１４に接触する場合、第２被係合部２３は自動的に第２クリック面１６から離隔し、第２被係合部２３が第２クリック面１６に接触する場合、第１被係合部２２は自動的に第１クリック面１４から離隔する。
【００５２】
ここで、弾性部１９の弾性復元力によって突出部２０が最大限に突出している状態では、第２被係合部２３が第２クリック面１６に接触し、突出部２０が円筒部材１８の内部へ押し込まれることによって、第２被係合部２３が第２クリック面１６から離隔し、また、第１被係合部２２が第１クリック面１４へ接近し、最終的に、突出部２０が円筒部材１８
の内部へ最大限に没入することによって、第１被係合部２２が第１クリック面１４に接触するようにしてある。
そして、第１被係合部２２の第１クリック面１４に対する接触及び対向方向の離隔、並びに第２被係合部２３の第２クリック面１６に対する対向方向の離隔及び接触を同時的に切替自在にするための切替操作手段は、前述の下段ダイヤル３及び弾性部１９と、位置変化部２４とで構成されている。
【００５３】
図１、図２及び図６に示すように、位置変化部２４は柱状部材１２の内面から操作パネル４及びプリント基板９夫々に平行に突設されている階段状の突設板部である。つまり、位置変化部２４は回転軸１０の周方向に設けられ、回転軸１０の軸長方向（即ち上下方向）の位置が変化する階段状である。位置変化部２４の上段部２５と下段部２６との境２７は、斜面状に形成されている。また、上段部２５の周方向長さは下段部２６の周方向長さの約２倍である。
【００５４】
位置変化部２４の下面はコ字状部２１の上側端部外面に接触している。更に詳細には、位置変化部２４の上段部２５下面がコ字状部２１の上側端部外面に接触している状態で、突出部２０は筒状部材から最大限に突出し、位置変化部２４の下段部２６下面がコ字状部２１の上側端部外面に接触している状態で、突出部２０は筒状部材へ最大限に没入する。また、位置変化部２４は、柱状部材１２と一体に回転する。つまり、弾性部１９は位置変化部２４に向けて上方向にコ字状部２１を付勢し、位置変化部２４は上下方向にコ字状部２１に接触した状態で、下段ダイヤル３の回転操作に応じて、コ字状部２１に対して周方向に摺動する。
【００５５】
位置変化部２４に対して摺動するコ字状部２１は、上段部２５から下段部２６へ、また下段部２６から上段部２５へ、斜面状の境２７を通過して滑らかに移動する。上段部２５と下段部２６との段差は小さいため、コ字状部２１が境２７に引っかかって下段部２６から上段部２５への移動が阻害されることはない。
【００５６】
図７、図８及び図９は、本発明の実施の形態１に係る操作装置が備える下段ダイヤルを回転させた状態を示す縦断面図、横断面図及び平面図である。図８では、図２と同様に、可動接点１３と第２スイッチ素子６とが接触して、第２スイッチ素子６に対応するスイッチがオンになっている状態を示している。
また、図１０、図１１及び図１２は、この操作装置が備える下段ダイヤルを更に回転させた状態を示す縦断面図、横断面図及び平面図である。図１１では、図２及び図８夫々と同様に、可動接点１３と第３スイッチ素子７とが接触して、第３スイッチ素子７に対応するスイッチがオンになっている状態を示している。
そして、図１、図７及び図１０が対応し、図２、図８及び図１１が対応し、図３、図９及び図１２が対応している。
【００５７】
図１、図２及び図３に示すように、下段ダイヤル３が「Ｐ−ＴＥＭＰ」の位置に合うよう使用者が下段ダイヤル３を回転操作させることによって、可動接点１３と第１スイッチ素子５とが接触して第１スイッチがオンになる。この状態で、コ字状部２１は位置変化部２４の下段部２６（更に詳細には、下段部２６の境２７側とは逆側の周方向端部）に当接し、コ字状部２１を介して突出部２０が円筒部材１８へ押し込まれ、第１被係合部２２が第１クリック面１４に接触する。この結果、上段ダイヤル２の１回転あたり３６回のクリック数が生ずる。
【００５８】
次いで、図７、図８及び図９に示すように、下段ダイヤル３が「ＴＥＭＰ」の位置に合うよう使用者が下段ダイヤル３を右方向へ回転操作させることによって、可動接点１３と第２スイッチ素子６とが接触して第２スイッチがオンになる。下段ダイヤル３の操作中は
、コ字状部２１は位置変化部２４の下段部２６に摺動して、操作終了後、下段部２６の境２７側の周方向端部に当接し、このため、コ字状部２１を介して突出部２０が円筒部材１８へ押し込まれたまま、第１被係合部２２が第１クリック面１４に接触し続ける。この結果、上段ダイヤル２の１回転あたり３６回のクリック数が生ずる。
【００５９】
最後に、図１０、図１１及び図１２に示すように、下段ダイヤル３が「風量」の位置に合うよう使用者が下段ダイヤル３を右方向へ回転操作させることによって、可動接点１３と第３スイッチ素子７とが接触して第３スイッチがオンになる。下段ダイヤル３の操作中は、コ字状部２１は位置変化部２４の下段部２６から境２７を通って上段部２５へ摺動して、操作終了後、上段部２５に当接し、このため、コ字状部２１を介する突出部２０の円筒部材１８への押し込みが解除されて突出部２０が上方へ突出し、突出部２０がコ字状部２１を押し上げるため、第２被係合部２３が第２クリック面１６に接触する。この結果、上段ダイヤル２の１回転あたり１８回のクリック数が生ずる。
【００６０】
以上のような操作装置１は、空気調和機の設定モードの切り替えを下段ダイヤル３に割り当て、設定すべき変量の大小の切替を上段ダイヤル２に割り当てて、下段ダイヤル３が回転操作されることにより、上段ダイヤル２に係るクリック数が変更される。この操作装置１は簡易な機械的構成を有するため、低コストで製造が可能である。
【００６１】
なお、第１被係合部２２及び第２被係合部２３の両方が第１クリック面１４及び第２クリック面１６に夫々接触していない状態で上段ダイヤル２を回転操作する構成を含めてもよい。この場合、１８個、３６個、０個（即ちクリックなし）の３段階にクリック数が変更される。
また、Ｍ個及びＮ個両方と異なるＬ個の係合部が下面（又は上面）に形成されている円板を円板１１の上側（又は下側）に追加し、コ字状部２１の上側端部外面（又は下側端部外面）に被係合部を追加して、更に多段階にクリック数が変更されるように構成してもよい。
【００６２】
更に、係合部側が凸状に形成され、被係合部側が凹状に形成されていてもよい。また、係合部側が固定され、被係合部側が移動する構成でもよい。
更にまた、上段部２５と下段部２６との境２７は斜面状に限らず、曲面状でもよい。また、コ字状部２１の上側端部外面が曲面状に形成されていてもよい。更に、位置変化部２４が階段状ではなく斜面状でもよい。
更に、このような操作装置は車載の空気調和機に対して設けられる構成に限定されず、例えば車載のラジオ、一般的な空気調和機等に対して設けられてもよい。
【００６３】
実施の形態  ２．
図１３及び図１４は、本発明の実施の形態２に係る操作装置を示す斜視図及び縦断面図であり、図１４は、図１３におけるIV−IV線の断面図でもある。
また、図１５は、この操作装置が備える円筒を示す分解斜視図である。
図中３１は操作装置であり、操作装置３１は、実施の形態１の上段ダイヤル２に相当する回転操作摘み３２と、実施の形態１の下段ダイヤル３に相当する往復操作摘み３３と、円筒３４とを備える。また、操作装置３１はプリント基板３５の一面状に配されている。以下では、回転操作摘み３２側からプリント基板３５側へ接近する方向（図１３及び図１４夫々の下方向）を下方向といい、逆方向を上方向という。
【００６４】
円筒３４は、互いに内径及び外径が略等しい第１円筒部材３６及び第２円筒部材３７をこの順に下側から軸長方向に並置してなり、この円筒３４の上端側開口を、円筒３４の外径と略等しい外径を有する回転操作摘み３２で閉鎖することによって、全体として有底円筒状をなしている。
【００６５】
第１円筒部材３６の内周面は第１クリック面３８であり、この内周面に、互いに平行なＭ個（３６個）の凹条状の第１係合部３９，３９，…（即ちクリック溝）が、長手方向を第１円筒部材３６の軸長方向に沿わせて、周方向に並設してある。第１円筒部材３６には、両端面を貫通する４本の貫通孔４０，４０，…が互いに約９０°周方向に離隔して形成されている。同様に、第２円筒部材３７の内周面は第２クリック面４１であり、この内周面に、互いに平行なＮ個（１８個）の凹条状の第２係合部４２，４２，…（即ちクリック溝）が、長手方向を第２円筒部材３７の軸長方向に沿わせて、周方向に並設してある。第２円筒部材３７には、両端面を貫通する４本の貫通孔４３，４３，…が互いに約９０°周方向に離隔して形成されている。
【００６６】
回転操作摘み３２は円板状であり、中央部に細長い矩形の案内孔４４が、長手方向が回転操作摘み３２の径方向（図１３及び図１４中矢符方向）に沿うように形成してあり、下面に４個の穴４５，４５，…が互いに約９０°周方向に離隔して形成されている。
【００６７】
第１円筒部材３６の貫通孔４０，４０，…と第２円筒部材３７の貫通孔４３，４３，…と回転操作摘み３２の穴４５，４５，…とは、各内径及び形成位置が対応しており、下から第１円筒部材３６、第２円筒部材３７、及び回転操作摘み３２の順に積み上げて、４本の棒状部材４６，４６，…を貫通孔４０，４０，…と貫通孔４３，４３，…と穴４５，４５，…とに挿入することによって、一体的な有底円筒状の部材が形成されている。
つまり第１係合部３９，３９，…は、回転操作摘み３２の回転操作に応じて回転する円筒３４の内周面の一端側に形成してあり、第２係合部４２，４２，…は、回転操作摘み３２の回転操作に応じて回転する円筒３４の内周面の他端側に形成してある。
【００６８】
第１円筒部材３６は、下端部がプリント基板３５に、自身の中心軸を中心として３６０°右方向及び左方向夫々（図１３中白抜矢符方向）に回転自在に支持されている。このため、回転操作摘み３２が回転操作されることによって、円筒３４が回転操作摘み３２に一体的に回転する。
【００６９】
操作装置３１は、第１被係合部４７及び第２被係合部４８を備え、また第１被係合部４７の第１クリック面３８に対する接触及び対向方向の離隔、並びに第２被係合部４８の第２クリック面４１に対する対向方向の離隔及び接触を同時的に切替自在にするための切替操作手段は、往復操作摘み３３と移動連結部４９とを用いてなる。
移動連結部４９は、案内孔４４の真下に、案内孔４４の長手方向に沿って（即ち図１３及び図１４中矢符方向に）、プリント基板３５上を往復移動するよう構成されているスライダである。
【００７０】
移動連結部４９の上部中央にはレバー５０が立設されている。このレバー５０は下端部が移動連結部４９に取り付けられており、案内孔４４を貫通して、上端部に往復操作摘み３３が取り付けられている。このため、往復操作摘み３３が矢符方向に往復移動操作されることによって、レバー５０が案内孔４４に案内され、移動連結部４９が矢符方向に往復移動する。即ち、往復操作摘み３３は往復移動自在に設けてある。
【００７１】
第１被係合部４７は第１クリック面３８に対向配置されて、直線状の連結棒材５１を介し、移動連結部４９に連結されている。第２被係合部４８は第２クリック面４１に対向配置されて、変型Ｚ字状の連結棒材５２を介し、移動連結部４９に連結されている。このため、回転操作摘み３２の回転操作に応じて、第１係合部３９，３９，…と第１被係合部４７とが回転操作摘み３２の回転方向に相対回転移動し、第２係合部４２，４２，…と第２被係合部４８とが、回転操作摘み３２の回転方向に相対回転移動する。
更に、第１被係合部４７と第２被係合部４８とは案内孔４４の長手方向に沿う直線上に
、円筒３４の径方向の中心位置を中心とする一側と他側とに分かれて配されている。
【００７２】
使用者が往復操作摘み３３を案内孔４４の一側へ移動させることによって、第１被係合部４７が第１クリック面３８に接触し、第２被係合部４８が第２クリック面４１から離隔して、回転操作摘み３２の１回転あたり３６回のクリックが発生する。一方、使用者が往復操作摘み３３を案内孔４４の他側へ移動させることによって、第２被係合部４８が第２クリック面４１に接触し、第１被係合部４７が第１クリック面３８から離隔して、回転操作摘み３２の１回転あたり１８回のクリックが発生する。
【００７３】
以上のような操作装置３１は、実施の形態１の操作装置１と同様に、空気調和機の設定モードの切り替えを往復操作摘み３３に割り当て、設定すべき変量の大小の切替を回転操作摘み３２に割り当てて、往復操作摘み３３が往復移動操作されることにより、回転操作摘み３２に係るクリック数が変更される。この操作装置３１は簡易な機械的構成を有するため、低コストで製造が可能である。
【図面の簡単な説明】
【００７４】
【図１】本発明の実施の形態１に係る操作装置を示す縦断面図である。
【図２】本発明の実施の形態１に係る操作装置を示す横断面図である。
【図３】本発明の実施の形態１に係る操作装置が備える第２の操作摘みとしての下段ダイヤルを示す平面図である。
【図４】本発明の実施の形態１に係る操作装置が備える円板を示す平面図である。
【図５】本発明の実施の形態１に係る操作装置が備えるコ字状部を示す側面図である。
【図６】本発明の実施の形態１に係る操作装置が備える位置変化部を示す正面図である。
【図７】本発明の実施の形態１に係る操作装置が備える下段ダイヤルを回転させた状態を示す縦断面図である。
【図８】本発明の実施の形態１に係る操作装置が備える下段ダイヤルを回転させた状態を示す横断面図である。
【図９】本発明の実施の形態１に係る操作装置が備える下段ダイヤルを回転させた状態を示す平面図である。
【図１０】本発明の実施の形態１に係る操作装置が備える下段ダイヤルを更に回転させた状態を示す縦断面図である。
【図１１】本発明の実施の形態１に係る操作装置が備える下段ダイヤルを更に回転させた状態を示す横断面図である。
【図１２】本発明の実施の形態１に係る操作装置が備える下段ダイヤルを更に回転させた状態を示す平面図である。
【図１３】本発明の実施の形態２に係る操作装置を示す斜視図である。
【図１４】本発明の実施の形態２に係る操作装置を示す縦断面図である。
【図１５】本発明の実施の形態２に係る操作装置が備える円筒を示す分解斜視図である。
【符号の説明】
【００７５】
１，３１  操作装置
２  上段ダイヤル（操作摘み）
３  下段ダイヤル  （第２の操作摘み，切替操作手段）
１１  円板
１４，３８  第１クリック面
１５，３９  第１係合部
１６，４１  第２クリック面
１７，４２  第２係合部
１９  弾性部（切替操作手段）
２１  コ字状部
２２，４７  第１被係合部
２３，４８  第２被係合部
２４  位置変化部（切替操作手段）
２５  上段部（段）
２６  下段部（段）
２７  境
３２  回転操作摘み（操作摘み）
３３  往復操作摘み（切替操作手段）
３４  円筒
４９  移動連結部（切替操作手段）
【図１】
2008262835.tif 000003
【図２】
2008262835.tif 000004
【図３】
2008262835.tif 000005
【図４】
2008262835.tif 000006
【図５】
2008262835.tif 000007
【図６】
2008262835.tif 000008
【図７】
2008262835.tif 000009
【図８】
2008262835.tif 000010
【図９】
2008262835.tif 000011
【図１０】
2008262835.tif 000012
【図１１】
2008262835.tif 000013
【図１２】
2008262835.tif 000014
【図１３】
2008262835.tif 000015
【図１４】
2008262835.tif 000016
【図１５】
2008262835.tif 000017